(57)【要約】【課題】低コストで製造することができる簡易再封機能を備えたパウチ容器及びそのパウチ容器を用いた包装体を提供する。【解決手段】外装シート１１、１２及び両外装シート１１、１２の下部から内側に折り込まれてボトムガセット部を形成するガセットシート１３から構成されており、折り込まれたガセットシート１３の周縁部が外装シート１１、１２の下部周縁にヒートシールされると共に外装シート１１、１２における上縁部及びガセットシート１３にヒートシールされない両側縁部同士が相互にヒートシールされることで袋状に形成されている。外装シート１１は、上部を下方側に折り返した第１の外装シート１１ａと、この外装シート１１ａの折り返し部に重ね合わされる第２の外装シート１１ｂとに分割されており、両者の重ね合わせ部分の両側縁を相互にヒートシールすることによって、先端に内容物を充填可能な口部ｍｉを有する張出部１１Ａが形成されている。【選択図】        図１
2008265826.tif 000002
【特許請求の範囲】
【請求項１】
上縁及び両側縁が相互にヒートシールされた正面側の外装シート及び背面側の外装シートを有し、
正面側または背面側のいずれか一方の前記外装シートは、その上部に、相互に重複した状態で張り出す張出部を有しており、
前記張出部の先端に、内容物を充填可能な開放された口部が形成されていることを特徴とするパウチ容器。
【請求項２】
請求項１に記載のパウチ容器における前記張出部の先端に形成された前記口部から内容物を充填し、その口部をヒートシールすることによって閉塞してなる包装体であって、
閉塞された前記口部を破断することによって開封するようになっていることを特徴とする包装体。
【発明の詳細な説明】
【技術分野】
【０００１】
この発明は、例えば、チョコレート、飴、グミといった菓子等の物品を包装するパウチ容器及びそのパウチ容器を用いた包装体に関する。
【背景技術】
【０００２】
この種のパウチ容器としては、例えば、図９（ａ）に示すようなものがある。このパウチ容器５０は、表裏一対の外装シート５１、５１及び両外装シート５１、５１の下部から内側に折り込まれてボトムガセット部を形成するガセットシート５２から構成されており、折り込まれたガセットシート５２の内面の周縁が外装シート５１の内面にヒートシールされると共に、外装シート５１、５１の内面の上縁部及び両側縁部が相互にヒートシールされることで、袋状に形成されている。
【０００３】
また、外装シート５１を形成しているフレキシブルシートは、横方向（袋本体の幅方向）に易破断性を有しており、上縁のヒートシール部分にかからないように、外装シート５１の上部両側縁に形成された切込５１ａからパウチ容器５０の上端部を破断することによって、同図（ｂ）に示すように、このパウチ容器５０を開封することができるようになっている。
【０００４】
【特許文献１】特開２００３−９５２８５号公報
【発明の開示】
【発明が解決しようとする課題】
【０００５】
ところで、上述したようなパウチ容器５０を一旦開封すると、その口部が中途半端に開いた状態になるので、パウチ容器５０内に内容物が残っている場合には、図１０に示すように、破断されたパウチ容器５０の上端部を下側に折り返して、再封シールＳ等を貼着することによって口部を閉塞しなければならず、使い勝手が悪いといった問題がある。
【０００６】
こういった問題を解決するために、図１１に示すように、両外装シート５１、５１の内面における切込５１ａの下側に一対の帯状のファスナー部材５３を取り付けることにより、再封機能を付与したパウチ容器５０Ａも使用されているが、パウチ容器のコストアップにつながるといった問題がある。特に、個別に包装されている飴のように、内容物によっては、ファスナー部材５３による完全な再封機能を必要としない場合もある。
【０００７】
そこで、この発明の課題は、低コストで製造することができる簡易再封機能を備えたパウチ容器及びそのパウチ容器を用いた包装体を提供することにある。
【課題を解決するための手段】
【０００８】
上記の課題を解決するため、請求項１に係る発明は、上縁及び両側縁が相互にヒートシールされた正面側の外装シート及び背面側の外装シートを有し、正面側または背面側のいずれか一方の前記外装シートは、その上部に、相互に重複した状態で張り出す張出部を有しており、前記張出部の先端に、内容物を充填可能な開放された口部が形成されていることを特徴とするパウチ容器を提供するものである。
【０００９】
また、上記の課題を解決するため、請求項２に係る発明は、請求項１に記載のパウチ容器における前記張出部の先端に形成された前記口部から内容物を充填し、その口部をヒートシールすることによって閉塞してなる包装体であって、閉塞された前記口部を破断することによって開封するようになっていることを特徴とする包装体を提供するものである。
【発明の効果】
【００１０】
以上のように、請求項１に係る発明のパウチ容器は、正面側または背面側のいずれか一方の外装シートが、その上部に、相互に重複した状態で張り出す張出部を有しており、その張出部の先端に、内容物を充填可能な開放された口部が形成されているので、張出部を略垂直状態に起こすと、口部が略真上を向き、その口部から内容物を容易に充填することができると共に、充填後に口部を閉塞するためのヒートシールも容易に行うことができる。
【００１１】
また、請求項２に係る発明の包装体は、口部が閉塞された張出部を略垂直状態に起こして、その口部を破断することによって開封し、内容物を取り出した後は、起こした張出部を、その開封された口部が斜め下方を向くように倒すことによって、簡易的に再封することができるので、破断されたパウチ容器の上端部を下側に折り返して、再封シール等を貼着することによって口部を閉塞しなければならない従来のパウチ容器を用いた包装体に比べて、使い勝手がよく、パウチ容器自体も低コストで製造することができる。
【発明を実施するための最良の形態】
【００１２】
以下、実施の形態について図面を参照して説明する。図１及び図２に示すパウチ容器１は、チョコレート、飴、グミ等の菓子類を包装するためのものであり、ポリエチレンやポリプロピレン等からなる熱接着性を有するシーラントフィルムの外面に、アルミホイル等のガスバリア性シート等を積層した二軸延伸ポリエステルフィルム等をラミネートした厚さ６０〜２００μｍ程度の柔軟性シートによって形成されている。
【００１３】
このパウチ容器１は、図１（ａ）〜（ｃ）及び図２（ａ）〜（ｃ）に示すように、表裏一対の外装シート１１、１２及び両外装シート１１、１２の下部から内側に折り込まれてボトムガセット部を形成するガセットシート１３から構成されており、折り込まれたガセットシート１３の周縁部が外装シート１１、１２の下部周縁にヒートシールされると共に、外装シート１１、１２における上縁部及びガセットシート１３にヒートシールされない両側縁部同士が相互にヒートシールされることで袋状に形成されている。また、ガセットシート１３の両側縁には、二つ折りした状態で相互に一致する切欠部１３ａがそれぞれ形成されており、この切欠部１３ａを介して、外装シート１１、１２の両側縁における下端部同士が部分的にヒートシールされている。なお、図１（ａ）、（ｂ）及び図２（ａ）、（ｂ）における網掛け表示部分が、パウチ容器１のヒートシール部分を示している。
【００１４】
このパウチ容器１の正面側を形成している外装シート１１は、上部を下方側に折り返した第１の外装シート１１ａと、この外装シート１１ａの折り返し部に重ね合わされる第２の外装シート１１ｂとに分割されており、両者の重ね合わせ部分の両側縁を相互にヒートシールすることによって、先端に内容物である菓子類を充填可能な開放された口部ｍｉを有する張出部１１Ａが形成されている。
【００１５】
また、このパウチ容器１には、相互にヒートシールされた外装シート１１、１２の上縁部分に吊下穴１Ａが形成されており、張出部１１Ａの両側縁に、張出部１１Ａを幅方向に破断するきっかけとなるノッチ１Ｂ、１Ｂが形成されている。
【００１６】
また、外装シート１１ａ、１１ｂには、図１及び図２に示すように、両者の重ね合わせ部分と重ね合わされていない部分との境界に折目線Ｆ１、Ｆ２がそれぞれ形成されていると共に、外装シート１２にも、両折目線Ｆ１、Ｆ２に対応する位置に折目線Ｆ３が形成されており、その折目線Ｆ１、Ｆ３を起点として、吊下穴１Ａが形成されたパウチ容器１の上部及び張出部１１Ａをスイングさせることができるようになっている。即ち、図１（ａ）〜（ｃ）に示すように、張出部１１Ａが斜め下方を向いた状態から、パウチ容器１の上部を斜め下方に倒して、図２（ａ）〜（ｃ）に示すように、張出部１１Ａを起立させたり、逆に、図２（ａ）〜（ｃ）に示すように、パウチ容器１の上部が斜め下方に倒れた状態から、これを起こして、図１（ａ）〜（ｃ）に示すように、張出部１１Ａを斜め下方に倒したりすることができるようになっている。
【００１７】
以上のように構成されたパウチ容器１には、図２（ａ）〜（ｃ）に示すように、張出部１１Ａを起こした状態で、その口部ｍｉから内容物である菓子類を充填し、図３（ａ）〜（ｃ）に示すように、口部ｍｉを形成している外装シート１１ａ、１１ｂの先端縁におけるノッチ１Ｂ、１Ｂよりも先端側の部分を相互にヒートシールすることで口部ｍｉを閉塞すると、パウチ容器１に菓子類が密封包装された包装体２が出来上がる。なお、図３（ａ）、（ｂ）における網掛け表示部分が、パウチ容器１のヒートシール部分を示している。
【００１８】
そして、このようにしてパウチ容器１に菓子類が密封包装された包装体２は、図４（ａ）〜（ｃ）に示すように、張出部１１Ａを倒した状態で、保管、輸送され、店頭においては、吊下用バーに吊下穴１Ａを引っかけて、吊下状態で陳列される。
【００１９】
パウチ容器１に密封包装された菓子類を購入した人が、菓子類を食べる場合は、図５（ａ）〜（ｃ）に示すように、張出部１１Ａを起こして、ノッチ１Ｂ部分をきっかけに張出部１１Ａの先端部分を破断することによって口部ｍｏを形成し、図６（ａ）〜（ｃ）に示すように、パウチ容器１の胴部を握って口部ｍｏを広げ、その口部ｍｏから菓子類を取り出すことになる。
【００２０】
また、菓子類を食べ残した場合は、図７（ａ）〜（ｃ）に示すように、口部ｍｏが形成された張出部１１Ａを倒すと、パウチ容器１が簡易的に再封され、パウチ容器１を自立させた状態で、保管することができる。
【００２１】
以上のように、このパウチ容器１は、正面側の外装シート１１が、その上部に、相互に重複した状態で張り出す張出部１１Ａを有しており、その張出部１１Ａの先端に、内容物を充填可能な開放された口部ｍｉが形成されているので、張出部１１Ａを略垂直状態に起こすと、口部ｍｉが略真上を向き、その口部ｍｉから内容物を容易に充填することができると共に、充填後に口部ｍｉを閉塞するためのヒートシールも容易に行うことができる。
【００２２】
また、パウチ容器１に菓子類が密封包装された包装体２は、口部ｍｉが閉塞された張出部１１Ａを起こして、その先端部を破断することによって口部ｍｏを形成し、その口部ｍｏから菓子類を取り出した後は、起こした張出部１１Ａを、その口部ｍｏが斜め下方を向くように倒すだけで、簡易的に再封することができるので、破断されたパウチ容器の上端部を下側に折り返して、再封シール等を貼着することによって口部を閉塞しなければならない従来のパウチ容器を用いた包装体に比べて使い勝手がよく、パウチ容器１自体も、ファスナー部材を取り付けた再封機能を有する従来のパウチ容器に比べて低コストで製造することができる。
【００２３】
なお、上述した実施形態では、菓子類が密封包装された包装体２を吊り下げて陳列する場合について説明したが、これに限定されるものではなく、例えば、図８（ａ）、（ｂ）に示すような状態で陳列することも可能であり、これにより、店頭で客を引きつける広告（ＰＯＰ）の効果を高めることができる。
【００２４】
また、上述した各実施形態では、パウチ容器１を製袋する際、外装シート１１ｂとなる柔軟性シートを、ガセットシート１３と同様に、一旦折り込むようにしているため、外装シート１１ｂに折目線Ｆ２が形成されているが、この折目線Ｆ２で、外装シート１１ｂを折り曲げることはないので、他の製袋方法を採用する場合は、折目線Ｆ２を形成する必要はない。
【００２５】
また、上述した実施形態では、吊下穴１Ａを有するパウチ容器１について説明したが、これに限定されるものではなく、本発明は、吊下穴のないパウチ容器について適用することができることは言うまでもない。
【００２６】
また、上述した各実施形態では、ボトムガセットタイプのパウチ容器１について説明したが、これに限定されるものではなく、本発明は、ガセット部のない平袋タイプのパウチ容器についても適用することができることはいうまでもない。
【図面の簡単な説明】
【００２７】
【図１】（ａ）はこの発明にかかるパウチ容器の一実施形態を示す正面図、（ｂ）は同上のパウチ容器を示す背面図、（ｃ）は同上のパウチ容器を示す側面図である。
【図２】（ａ）は同上のパウチ容器の張出部を起こした状態を示す正面図、（ｂ）は同上のパウチ容器を示す背面図、（ｃ）は同上のパウチ容器を示す側面図である。
【図３】（ａ）は同上のパウチ容器に内容物を充填してその口部を閉塞した包装体を示す正面図、（ｂ）は同上の包装体を示す背面図、（ｃ）は同上の包装体を示す側面図である。
【図４】（ａ）は同上の包装体における口部が閉塞された張出部を倒した状態を示す正面図、（ｂ）は同上の包装体を示す背面図、（ｃ）は同上の包装体を示す側面図である。
【図５】（ａ）は同上の包装体を開封した状態を示す正面図、（ｂ）は同上の包装体を示す背面図、（ｃ）は同上の包装体を示す側面図である。
【図６】（ａ）は開封した同上の包装体から内容物を取り出す状態を示す正面図、（ｂ）は同上の包装体を示す背面図、（ｃ）は同上の包装体を示す側面図である。
【図７】（ａ）は開封した同上の包装体を簡易的に再封した状態を示す正面図、（ｂ）は同上の包装体を示す背面図、（ｃ）は同上の包装体を示す側面図である。
【図８】（ａ）、（ｂ）は同上の包装体の各種陳列状態を示す斜視図である。
【図９】（ａ）は従来のパウチ容器の一例を示す斜視図、（ｂ）は同上のパウチ容器を開封した状態を示す斜視図である。
【図１０】同上のパウチ容器の再封方法を示す斜視図である。
【図１１】再封機能を備えた従来の他のパウチ容器を示す斜視図である。
【符号の説明】
【００２８】
１  パウチ容器
２  包装体
１Ａ  吊下穴
１Ｂ  ノッチ
１１、１１ａ、１１ｂ、１２  外装シート
１１Ａ  張出部
１３  ガセットシート
１３ａ  切欠部
Ｆ１、Ｆ２、Ｆ３  折目線
ｍｉ  口部
ｍｏ  口部
【図１】
2008265826.tif 000003
【図２】
2008265826.tif 000004
【図３】
2008265826.tif 000005
【図４】
2008265826.tif 000006
【図５】
2008265826.tif 000007
【図６】
2008265826.tif 000008
【図７】
2008265826.tif 000009
【図８】
2008265826.tif 000010
【図９】
2008265826.tif 000011
【図１０】
2008265826.tif 000012
【図１１】
2008265826.tif 000013